【手続補正書】
【提出日】平成24年4月13日(2012.4.13)
【手続補正１】
【補正対象書類名】特許請求の範囲
【補正対象項目名】全文
【補正方法】変更
【補正の内容】
【特許請求の範囲】
【請求項１】
複数の再生モードを有する画像処理装置であって、
画像データを、当該画像データが撮影された際の撮影モードを示す撮影モード情報とともに記憶する記憶手段と、
前記記憶手段に記憶されている画像データに対する編集処理を指示するための指示手段と、
前記指示手段により編集処理が指示されたときの前記画像処理装置の再生モードと、前記指示された編集処理の対象の画像データとともに記憶されている撮影モード情報との対応関係に応じて、前記指示された編集処理の実行可否を判定する判定手段と、
前記判定手段により実行が可と判定された場合、前記指示された編集処理を前記対象の画像データに施し、前記判定手段により実行が否と判定された場合、前記指示された編集処理を前記対象の画像データに施さない画像処理手段とを有することを特徴とする画像処理装置。
【請求項２】
さらに、撮像手段を有し、
前記記憶手段が、前記撮像手段で撮影された画像データを、当該画像データが撮影された際の前記撮像手段の撮影モードを示す撮影モード情報とともに記憶することを特徴とする請求項１記載の画像処理装置。
【請求項３】
前記編集処理が削除処理であることを特徴とする請求項１又は２記載の画像処理装置。 
【請求項４】
前記編集処理が、画像データの一部又は全体の色味を補正する処理であることを特徴とする請求項１又は２記載の画像処理装置。
【請求項５】
画像データを、当該画像データが撮影された際の撮影モードを示す撮影モード情報とともに記憶する記憶装置を備え、複数の再生モードを有する画像処理装置の制御方法であって、
前記記憶装置に記憶された画像データに対して、編集処理が指示された場合、前記編集処理が指示されたときの前記画像処理装置の再生モードと、前記指示された編集処理の対象の画像データとともに記憶されている撮影モード情報との対応関係に応じて、前記指示された編集処理の実行可否を判定する判定ステップと、
前記判定ステップにおいて実行が可と判定された場合、画像処理手段が、前記指示された編集処理を前記対象の画像データに施し、前記判定ステップにおいて実行が否と判定された場合、前記画像処理手段が、前記指示された編集処理を前記対象の画像データに施さない画像処理ステップとを有することを特徴とする画像処理装置の制御方法。
【請求項６】
画像処理装置であって、
複数のモードから選択された１つのモードを前記画像処理装置に設定する設定手段と、
前記設定手段にて設定されたモードに応じた撮影を行ない、画像データを取得する撮像手段と、
前記撮像手段によって取得された前記画像データを、前記撮影時に設定されていたモードに関連づけて記録する記録手段と、
前記記録手段が記録する画像データを再生し、表示する表示手段と、
前記表示手段に表示された画像データに対して処理を施す画像処理手段と、
を備え、
前記画像処理手段は、前記表示手段に表示された画像データに対して前記処理を施す際に、前記複数のモードのうちの所定のモードが設定されているか否かを判定し、該所定のモードが設定されている場合には、前記処理の対象の画像データが該所定のモードに設定された状態で撮影されたものか否かを更に判定し、前記画像データが該所定のモードが設定された状態で撮影されたものではないと判定した場合には、前記画像データに処理を加えずに保持することを特徴とする画像処理装置。
【請求項７】
前記画像処理手段は、前記表示手段に表示された画像データに対する削除要求を受けた場合に、前記複数のモードのうち所定のモードが設定されているか否かを判定し、該所定のモードが設定されている場合には、前記削除要求の対象の画像データが該所定のモードが設定された状態で撮影されたものか否かを更に判定し、前記削除要求の対象の画像データが該所定のモードが設定された状態で撮影されたものであると判定した場合には、該画像データを削除し、前記削除要求の対象の画像データが該所定のモードが設定された状態で撮影されたものではないと判定した場合には、該画像データを削除せずに非表示とすることを特徴とする請求項６に記載の画像処理装置。
【請求項８】
前記画像処理手段は、前記表示手段に表示された画像データに対するトリミング要求を受けた場合に、前記複数のモードのうち所定のモードが設定されているか否かを判定し、該所定のモードが設定されている場合には、前記トリミング要求の対象の画像データが該所定のモードが設定された状態で撮影されたものか否かを更に判定し、前記トリミング要求の対象の画像データが該所定のモードが設定された状態で撮影されたものであると判定した場合には、該画像データにトリミングを施して上書きし、前記トリミング要求の対象の画像データが該所定のモードが設定された状態で撮影されたものではないと判定した場合には、トリミングを施さずに該画像データに対するトリミング情報を別途保存することを特徴とする請求項６または７に記載の画像処理装置。
【請求項９】
前記画像処理手段は、前記表示手段に表示された画像データに対する編集要求を受けた場合に、前記複数のモードのうち所定のモードが設定されているか否かを判定し、該所定のモードが設定されている場合には、前記編集要求の対象の画像データが該所定のモードが設定された状態で撮影されたものか否かを更に判定し、前記編集要求の対象の画像データが該所定のモードが設定された状態で撮影されたものであると判定した場合には、該画像データに編集を加えて上書きし、前記編集要求の対象の画像データが該所定のモードが設定された状態で撮影されたものではないと判定した場合には、該画像データに編集を加えて新規保存することを特徴とする請求項６乃至８のいずれか１項に記載の画像処理装置。
【請求項１０】
前記編集が、前記編集要求の対象の画像データの一部又は全体の色味を補正する処理であることを特徴とする請求項９記載の画像処理装置。
【請求項１１】
画像処理装置の制御方法であって、
設定手段が、複数のモードから選択された１つを前記画像処理装置に設定する設定ステップと、
撮像手段が、前記設定ステップにて設定されたモードに応じた設定で撮影を行ない、画像データを取得する撮影ステップと、
記録手段が、前記撮影ステップによって取得された前記画像データを、撮影時に設定されていたモードに関連づけて記録する記録ステップと、
表示手段が、前記記録ステップで記録された画像データを再生し、表示する表示ステップと、
画像処理手段が、前記表示ステップで表示された画像データに対して処理を施す画像処理ステップと、
を含み、
前記画像処理ステップにおいて前記画像処理手段は、前記表示された画像データに対して前記処理を施す際に、前記複数のモードのうちの所定のモードが設定されているか否かを判定し、該所定のモードが設定されている場合には、前記処理の対象の画像データが該所定のモードに設定された状態で撮影されたものか否かを更に判定し、前記処理の対象の画像データが該所定のモードが設定された状態で撮影されたものではないと判定した場合には、前記画像データに処理を加えずに保持することを特徴とする画像処理装置の制御方法。
【請求項１２】
コンピュータに請求項５または１１に記載の画像処理装置の制御方法の各ステップを実行させるためのプログラム。
【手続補正２】
【補正対象書類名】明細書
【補正対象項目名】発明の名称
【補正方法】変更
【補正の内容】
【発明の名称】画像処理装置およびその制御方法並びにプログラム
【手続補正３】
【補正対象書類名】明細書
【補正対象項目名】０００１
【補正方法】変更
【補正の内容】
【０００１】
本発明は、画像データの処理を行う画像処理装置およびその制御方法並びにプログラムに関する。
【手続補正４】
【補正対象書類名】明細書
【補正対象項目名】０００６
【補正方法】変更
【補正の内容】
【０００６】
上述の目的を達成するため、本発明による画像処理装置は、複数の再生モードを有する画像処理装置であって、画像データを、当画像データが撮影された際の撮影モードを示す撮影モード情報とともに記憶する記憶手段と、記憶手段に記憶されている画像データに対する編集処理を指示するための指示手段と、指示手段により編集処理が指示されたときの画像処理装置の再生モードと、指示された編集処理の対象の画像データとともに記憶されている撮影モード情報との対応関係に応じて、指示された編集処理の実行可否を判定する判定手段と、判定手段により実行が可と判定された場合、指示された編集処理を対象の画像データに施し、判定手段により実行が否と判定された場合、指示された編集処理を対象の画像データに施さない画像処理手段とを有することを特徴とする。